【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
第１のサーバ端末が発行した認証因子を端末が受信するステップ（Ｓ１０１）であって、前記認証因子は、ユーザの認証キー及びアカウント情報、並びに動的時間因子を含み、前記第１のサーバ端末は、前記端末が第１のサービスオペレーションを要求すると、前記端末の認証後に前記第１のサービスオペレーションを完了するサーバ端末である、前記受信するステップ（Ｓ１０１）と；
前記認証因子と前記端末のデバイス情報とを用いて、バインドされた認証情報を生成し、前記バインドされた認証情報を前記第１のサーバ端末へ返すステップ（Ｓ１０２）であって、その結果、前記第１のサーバ端末が、前記第１のサービスオペレーションにわたり、前記バインドされた認証情報に従って認証を実行する、前記返すステップ（Ｓ１０２）と；
前記認証因子に従って、前記第１のサービスオペレーションをオフラインで完了するためのグラフィカル識別子を生成するステップ（Ｓ１０３）であって、前記グラフィカル識別子は前記第１のサービスオペレーションの認証情報を含み、前記第１のサービスオペレーションの前記認証情報は前記ユーザの前記認証キーと、デバイスアカウント情報と、動的パスワードとを含み、前記動的パスワードは前記動的時間因子に従って生成され、前記デバイスアカウント情報は前記ユーザの前記アカウント情報及び前記端末の前記デバイス情報に従って生成される、前記生成するステップ（Ｓ１０３）と；を備える、
情報インタラクションの方法。
【請求項２】
前記認証因子に従って、前記第１のサービスオペレーションをオフラインで完了するためのグラフィカル識別子を生成する前記ステップの前に：
前記第１のサービスオペレーションをオフラインで完了するための前記グラフィカル識別子を表示させる表示命令を受信するステップ（Ｓ１０３１）と；
前記表示命令の受信後に、前記認証因子に従って、前記第１のサービスオペレーションをオフラインで完了するための前記グラフィカル識別子を生成するステップ（Ｓ１０３２）と；を更に備え、
前記認証因子に従って、前記第１のサービスオペレーションをオフラインで完了するための前記グラフィカル識別子を生成する前記ステップの後に：
前記グラフィカル識別子を用いて、前記第１のサービスオペレーションをオフライン状態にて完了するために、前記端末が前記グラフィカル識別子を表示するステップ（Ｓ１０３３）を更に備える、
請求項１に記載の情報インタラクションの方法。
【請求項３】
前記グラフィカル識別子の表示モードは、バーコード及びＱＲコード（登録商標）のうち一方又は両方の組み合わせを備え、
前記端末が前記グラフィカル識別子を表示する前記ステップの後に：
前記グラフィカル識別子の前記表示モードの切り替え命令を受信すると、前記グラフィカル識別子の前記表示モードを切り替えるステップ（Ｓ１０３４）を更に備える、
請求項２に記載の情報インタラクションの方法。
【請求項４】
前記端末が、前記第１のサーバ端末が発行した前記認証因子を第２の端末を経由して受信し、前記バインドされた認証情報を前記第２の端末を経由して前記第１のサーバ端末へ返す、
請求項１に記載の情報インタラクションの方法。
【請求項５】
第１のサーバ端末が発行した前記認証因子を受信する前記ステップの前に：
前記端末がアカウントＩＤ検証要求を前記第１のサーバ端末へ送信するステップと；
ＩＤ検証成功の後に、前記第１のサーバ端末から送信された検証結果を受信するステップと；
前記オフラインでの第１のサービスオペレーションのための認証検証要求を前記第１のサーバ端末へ送信するステップと；
認証検証成功後に、前記第１のサーバ端末が発行した前記認証因子を受信するステップと；を備える、
請求項１に記載の情報インタラクションの方法。
【請求項６】
前記動的パスワードは同一の時間枠内では不変であるが、次の時間枠内では、前記動的時間因子に従って再生成され、動的に変化する、
請求項１に記載の情報インタラクションの方法。
【請求項７】
前記動的パスワードは、具体的に、前記ユーザの前記認証キーと、前記動的時間因子と、前記デバイスアカウント情報と、更に、ワンタイムパスワード計算方法に従って事前設定されたパスワード長とを用いる計算によって得られる、
請求項１に記載の情報インタラクションの方法。
【請求項８】
第２のサーバ端末が、前記端末上に表示された前記グラフィカル識別子に含まれる前記第１のサービスオペレーションの前記認証情報を取得するステップ（Ｓ２０１）と；
前記第１のサービスオペレーションの前記認証情報とサービスデータとを用いて第１のサービスオペレーション要求を生成し、前記第１のサービスオペレーション要求を前記第１のサーバ端末へ送信するステップ（Ｓ２０２）であって、その結果、前記第１のサーバ端末が、前記第１のサービスオペレーション要求に含まれる前記第１のサービスオペレーションの前記認証情報に従って認証を実行し、前記認証の成功後に、前記第１のサービスオペレーションを完了する、前記送信するステップ（Ｓ２０２）と；
前記第１のサーバ端末から返される前記第１のサービスオペレーションの結果を受信するステップ（Ｓ２０３）と；を更に備える、
請求項２に記載の情報インタラクションの方法。
【請求項９】
前記第２のサーバ端末が送信した前記第１のサービスオペレーション要求を前記第１のサーバ端末が受信するステップ（Ｓ３０１）と；
前記第１のサービスオペレーション要求に含まれている前記認証情報に従って認証を実行し（Ｓ３０２）、前記認証が成功の場合に、前記第１のサーバ端末が前記第１のサービスオペレーションを完了するステップ（Ｓ３０３）と；を更に備える、
請求項８に記載の情報インタラクションの方法。
【請求項１０】
前記第２のサーバ端末が送信した前記第１のサービスオペレーション要求を受信する前記ステップの前に：
前記第１のサーバ端末が、前記端末上でオンラインアカウントバインドを実行するステップを更に備える、
請求項９に記載の情報インタラクションの方法。
【請求項１１】
前記第１のサーバ端末によって、前記端末上でオンラインアカウントバインドを実行する前記ステップは、具体的に：
前記端末が送信したアカウントＩＤ検証要求を受信するステップ（Ｓ４０１）であって、前記アカウントＩＤ検証要求が前記ユーザのアカウント情報を含む、前記受信するステップ（Ｓ４０１）と；
前記アカウントＩＤ検証要求が検証に合格するかどうかを判定し、前記検証が成功の場合に、検証成功結果を前記端末へ送信するステップ（Ｓ４０２）と；
前記端末から送信された、前記第１のサービスオペレーションをオフラインで完了させるための、認証検証要求を受信するステップ（Ｓ４０３）と；
前記認証検証要求の検証が成功であるかどうかを判定し、前記検証が成功の場合に、前記ユーザの前記認証キーを生成し、前記第１のサーバ端末の動的時間因子を計算するステップ（Ｓ４０４）と；
前記ユーザの前記認証キーと、動的時間因子と、前記ユーザの前記アカウント情報とを用いて、認証因子を生成するステップ（Ｓ４０５）と；
前記認証因子を前記端末へ発行するステップ（Ｓ４０６）と；
前記端末が提出した、バインドされた認証情報を受信するステップ（Ｓ４０７）であって、前記バインドされた認証情報は、前記認証因子と前記デバイスアカウント情報とをバインドして生成される、前記受信するステップ（Ｓ４０７）と；
前記バインドされた認証情報に認証検証を実行し、認証成功後に前記認証検証を完了するステップ（Ｓ４０８）と；を備える、
請求項１０に記載の情報インタラクションの方法。
【請求項１２】
前記第１のサーバ端末によって、前記端末上でオンラインアカウントバインドを実行する前記ステップは、具体的に：
前記第２の端末が送信したアカウントＩＤ検証要求を受信するステップ（Ｓ５０１）であって、前記アカウントＩＤ検証要求は前記ユーザの前記アカウント情報を含む、前記受信するステップ（Ｓ５０１）と；
前記アカウントＩＤ検証要求が検証に合格するかどうかを判定し、前記検証が成功の場合は、検証成功結果を前記第２の端末へ送信するステップ（Ｓ５０２）と；
前記第２の端末から送信された、前記第１のサービスオペレーションをオフラインで完了するための認証検証要求を受信するステップ（Ｓ５０３）と；
前記認証検証要求への検証が成功かどうかを判定し、前記検証が成功の場合は、前記ユーザの前記認証キーを生成し、前記第１のサーバ端末の動的時間因子を計算するステップ（Ｓ５０４）と；
前記ユーザの前記認証キーと、前記動的時間因子と、前記ユーザの前記アカウント情報とを用いて認証因子を生成するステップ（Ｓ５０５）と；
前記第２の端末が認証因子を前記端末へ送信できるようにするために、前記認証因子を前記第２の端末へ発行するステップ（Ｓ５０６）と；
前記端末から返され、前記第２の端末により提出された、バインドされた認証情報を受信するステップ（Ｓ５０７）であって、前記バインドされた認証情報は、前記端末によって、前記認証因子と前記端末の前記デバイスアカウント情報とのバインドにより生成される、前記受信するステップ（Ｓ５０７）と；
前記バインドされた認証情報に認証検証を実行し、前記認証の成功後に、前記認証検証を完了するステップ（Ｓ５０８）と；を備える、
請求項１０に記載の情報インタラクションの方法。
【請求項１３】
前記ユーザの前記認証キーを生成する前記ステップの後に：
前記ユーザの前記認証キーと、前記ユーザの前記アカウント情報から圧縮ストリングを生成するステップであって、前記圧縮ストリングは、前記ユーザの前記認証キーと前記アカウント情報との１対１のマッピング関係を有する、前記生成するステップと；
前記ユーザの前記認証キーと、前記動的時間因子と、前記ユーザの前記アカウント情報とを用いて前記認証因子を生成するステップであって、具体的には、前記ユーザの前記認証キーと、前記圧縮ストリングと、前記動的時間因子とを用いて前記認証因子を生成するステップと；を更に備える、
請求項１１又は請求項１２に記載の情報インタラクションの方法。
【請求項１４】
前記第１のサービスオペレーション要求に含まれている前記第１のサービスオペレーションの前記認証情報に従って認証を実行する前記ステップは、具体的に：
前記第１のサービスオペレーションの前記認証情報に含まれている前記デバイスアカウント情報と前記認証キーとの間のバインド関係が正確であるかどうかをチェックし、前記動的パスワードが有効であるかどうかを、前記認証因子内の前記動的時間因子に従ってチェックするステップ；を備え、
チェックが肯定である場合は、前記認証が成功である、
請求項９に記載の情報インタラクションの方法。
【請求項１５】
端末と；
第１のサーバ端末と；
第２のサーバ端末と；を備え、
請求項１乃至請求項１４のいずれか１項に記載の情報インタラクションの方法を実行するように構成された、
装置。
【手続補正２】
【補正対象書類名】明細書
【補正対象項目名】００９８
【補正方法】変更
【補正の内容】
【００９８】
前出の特定の実施は、本願の目的、技術的解決、有利な効果を更に詳細に記述したものである。上述の記述は本願の単なる特定の実施であり、本願の保護範囲を限定することを意図するものではないことは言うまでもない。本願の精神及び原理の範囲内のあらゆる修正、均等物との置換え、改良等は、本願の保護範囲に含まれる。
［第１の局面］
情報インタラクションの方法であって：
第１のサーバ端末が発行した認証因子を端末が受信するステップであって、前記認証因子は、ユーザの認証キー及びアカウント情報並びに動的時間因子を含み、前記第１のサーバ端末は、前記端末が第１のサービスオペレーションを要求すると、前記端末の認証後に前記第１のサービスオペレーションを完了するサーバ端末である、受信するステップと；
前記認証因子と前記端末のデバイス情報とを用いて、バインドされた認証情報を生成し、前記バインドされた認証情報を前記第１のサーバ端末へ返すステップであって、よって前記第１のサーバ端末が、前記第１のサービスオペレーションにわたり、前記バインドされた認証情報に従って認証を実行する、返すステップと；
前記認証因子に従って、前記第１のサービスオペレーションをオフラインで完了するためのグラフィカル識別子を生成するステップであって、前記グラフィカル識別子は前記第１のサービスオペレーションの認証情報を含み、前記第１のサービスオペレーションの前記認証情報は前記ユーザの前記認証キーと、デバイスアカウント情報と、動的パスワードとを含み、前記動的パスワードは前記動的時間因子に従って生成され、前記デバイスアカウント情報は前記ユーザの前記アカウント情報及び前記端末の前記デバイス情報に従って生成される、生成するステップと；を備える、
情報インタラクションの方法。
［第２の局面］
前記認証因子に従って、前記第１のサービスオペレーションをオフラインで完了するためのグラフィカル識別子を生成する前記ステップの前に、
前記第１のサービスオペレーションをオフラインで完了するための前記グラフィカル識別子を表示させる表示命令を受信するステップと；
前記表示命令の受信後に、前記認証因子に従って、前記第１のサービスオペレーションをオフラインで完了するための前記グラフィカル識別子を生成するステップと；を備え、
前記認証因子に従って、前記第１のサービスオペレーションをオフラインで完了するための前記グラフィカル識別子を生成する前記ステップの後に、
前記グラフィカル識別子を用いて、前記第１のサービスオペレーションをオフライン状態にて完了するために、前記端末が前記グラフィカル識別子を表示するステップを更に備える、
第１の局面に記載の方法。
［第３の局面］
前記グラフィカル識別子の表示モードは、バーコード及びＱＲコード（登録商標）のうち一方又は両方の組み合わせを備え、
前記端末が前記グラフィカル識別子を表示する前記ステップの後に、
前記グラフィカル識別子の前記表示モードの切り替え命令を受信すると、前記グラフィカル識別子の前記表示モードを切り替えるステップを更に備える、
第２の局面に記載の方法。
［第４の局面］
前記端末が、前記第１のサーバ端末が発行した前記認証因子を第２の端末を経由して受信し、前記バインドされた認証情報を前記第２の端末を経由して前記第１のサーバ端末へ返す、
第１の局面に記載の方法。
［第５の局面］
前記第１のサーバ端末が発行した前記認証因子を受信する前記ステップの前に、
前記端末がアカウントＩＤ検証要求を前記第１のサーバ端末へ送信するステップと；
ＩＤ検証成功の後に、前記第１のサーバ端末から送信された検証結果を受信するステップと；
前記オフラインでの第１のサービスオペレーションのための認証検証要求を前記第１のサーバ端末へ送信するステップと；
認証検証成功後に、前記第１のサーバ端末が発行した前記認証因子を受信するステップと；を備える、
第１の局面に記載の方法。
［第６の局面］
前記動的パスワードは同一の時間枠内では不変であるが、次の時間枠内では、前記動的時間因子に従って再生成され、動的に変化する、
第１の局面に記載の方法。
［第７の局面］
前記動的パスワードは、具体的に、前記ユーザの前記認証キーと、前記動的時間因子と、前記デバイスアカウント情報と、更に、ワンタイムパスワード計算方法に従って事前設定されたパスワード長とを用いる計算によって得られる、
第１の局面に記載の方法。
［第８の局面］
情報インタラクションの方法であって：
第２のサーバ端末が、端末上に表示されたグラフィカル識別子に含まれる第１のサービスオペレーションの認証情報を取得するステップであって、前記第１のサービスオペレーションの前記認証情報は、ユーザの認証キーと、デバイスアカウント情報と、動的パスワードとを備える、取得するステップと；
前記第１のサービスオペレーションの前記認証情報とサービスデータとを用いて第１のサービスオペレーション要求を生成し、前記第１のサービスオペレーション要求を前記第１のサーバ端末へ送信するステップであって、これにより、前記第１のサーバ端末が、前記第１のサービスオペレーション要求に含まれる前記第１のサービスオペレーションの前記認証情報に従って認証を実行し、前記認証の成功後に、前記第１のサービスオペレーションを完了する、送信するステップと；
前記第１のサーバ端末から返された前記第１のサービスオペレーションの結果を受信するステップと；を備える、
情報インタラクションの方法。
［第９の局面］
情報インタラクションの方法であって：
第２のサーバ端末が送信した第１のサービスオペレーション要求を第１のサーバ端末が受信するステップであって、前記第１のサービスオペレーション要求は、第２のサーバ端末が端末に表示されたグラフィカル識別子に含まれている前記第１のサービスオペレーションの認証情報と、サービスデータとを取得することによって生成した要求であり、前記第１のサービスオペレーション要求は、前記第１のサービスオペレーションの認証情報とサービスデータとを含み、前記第１のサービスオペレーションの前記認証情報は、ユーザの認証キーと、デバイスアカウント情報と、動的パスワードとを含む、受信するステップと；
前記第１のサービスオペレーション要求に含まれている前記認証情報に従って認証を実行し、前記認証が成功の場合に、前記第１のサーバ端末が前記第１のサービスオペレーションを完了するステップと；を備える、
情報インタラクションの方法。
［第１０の局面］
第２のサーバ端末が送信した第１のサービスオペレーション要求を受信する前記ステップの前に、
前記第１のサーバ端末が、前記端末上でオンラインアカウントバインドを実行するステップを更に備える、
第９の局面に記載の方法。
［第１１の局面］
前記第１のサーバ端末によって、前記端末上でオンラインアカウントバインドを実行する前記ステップは、具体的に：
前記端末が送信したアカウントＩＤ検証要求を受信するステップであって、前記アカウントＩＤ検証要求が前記ユーザのアカウント情報を含む、受信するステップと；
前記アカウントＩＤ検証要求が検証に合格するかどうかを判断し、前記検証が成功の場合に、検証成功結果を前記端末へ送信するステップと；
前記端末から送信された、前記第１のサービスオペレーションをオフラインで完了させるための、認証検証要求を受信するステップと；
前記認証検証要求の検証が成功であるかどうかを判断し、前記検証が成功の場合に、前記ユーザの前記認証キーを生成し、前記第１のサーバ端末の動的時間因子を計算するステップと；
前記ユーザの前記認証キーと、動的時間因子と、前記ユーザの前記アカウント情報とを用いて、認証因子を生成するステップと；
前記認証因子を前記端末へ発行するステップと；
前記端末が提出した、バインドされた認証情報を受信するステップであって、前記バインドされた認証情報は、前記認証因子と前記デバイスアカウント情報とをバインドして生成される、受信するステップと；
前記バインドされた認証情報に認証検証を実行し、認証成功後に前記認証検証を完了するステップと；を備える、
第１０の局面に記載の方法。
［第１２の局面］
前記第１のサーバ端末によって、前記端末上でオンラインアカウントバインドを実行する前記ステップは、具体的に：
前記第２の端末が送信したアカウントＩＤ検証要求を受信するステップであって、前記アカウントＩＤ検証要求は前記ユーザの前記アカウント情報を含む、受信するステップと；
前記アカウントＩＤ検証要求が検証に合格するかどうかを判断し、前記検証が成功の場合は、前記検証成功結果を前記第２の端末へ送信するステップと；
前記第２の端末から送信された、前記サービスオペレーションをオフラインで完了するための認証検証要求を受信するステップと；
前記認証検証要求への検証が成功かどうかを判断し、前記検証が成功の場合は、前記ユーザの前記認証キーを生成し、前記第１のサーバ端末の動的時間因子を計算するステップと；
前記ユーザの前記認証キーと、前記動的時間因と、前記ユーザの前記アカウント情報とを用いて認証因子を生成するステップと；
前記第２の端末が認証因子を前記端末へ送信できるようにするために、前記認証因子を前記第２の端末へ発行するステップと；
前記端末から返され、前記第２の端末により提出された、バインドされた認証情報を受信するステップであって、前記バインドされた認証情報は、前記端末によって、前記認証因子と前記端末の前記デバイスアカウント情報とのバインドにより生成される、受信するステップと；
前記バインドされた認証情報に認証検証を実行し、前記認証の成功後に、前記認証検証を完了するステップと；を備える、
第１０の局面に記載の方法。
［第１３の局面］
前記ユーザの前記認証キーを生成する前記ステップの後に、
前記ユーザの前記認証キーと、前記ユーザの前記アカウント情報の圧縮ストリングを生成するステップであって、前記圧縮ストリングは、前記ユーザの前記認証キーと前記アカウント情報との１対１のマッピング関係を有する、生成するステップと；
前記ユーザの前記認証キーと、前記動的時間因子と、前記ユーザの前記アカウント情報とを用いて前記認証因子を生成するステップであって、具体的には、前記ユーザの前記認証キーと、前記圧縮ストリングと、前記動的時間因子とを用いて前記認証因子を生成するステップと；を更に備える、
第１１の局面又は第１２の局面のいずれかに記載の方法。
［第１４の局面］
前記第１のサービスオペレーション要求に含まれている前記第１のサービスオペレーションの前記認証情報に従って認証を実行する前記ステップは、具体的に、
前記第１のサービスオペレーションの前記認証情報に含まれている前記デバイスアカウント情報と前記認証キーとの間のバインド関係が正確であるかどうかをチェックし、そして前記動的パスワードが有効であるかどうかを、前記認証因子内の前記動的時間因子に従ってチェックするステップを備え、チェックが肯定である場合は、前記認証が成功である、
第９の局面に記載の方法。
［第１５の局面］
端末であって：
第１のサーバ端末が発行した認証因子を受信するように構成された受信部であって、前記認証因子はユーザの認証キー及びアカウント情報、並びに動的時間因子を含み、前記第１のサーバ端末は、前記端末が第１のサービスオペレーションを要求する場合に、前記端末の認証後に前記第１のサービスオペレーションを完了するサーバ端末である、受信部と；
前記受信部が受信した前記認証因子と、前記端末のデバイス情報とを用いて、バインドされた認証情報を生成するように構成されたバインド部と；
前記バインド部が生成した前記バインドされた認証情報を前記第１のサーバ端末へ返すように構成された送信部であって、これにより、前記第１のサーバ端末が、前記第１のサービスオペレーションにわたり、前記バインドされた認証情報に従って認証を実行する、送信部と；
前記受信部が受信した前記認証因子に従って、前記第１のサービスオペレーションをオフラインで完了するためのグラフィカル識別子を生成するように構成された処理部であって、前記グラフィカル識別子は前記第１のサービスオペレーションの認証情報を含み、前記第１のサービスオペレーションの前記認証情報は前記ユーザの前記認証キーと、デバイスアカウント情報と、動的パスワードとを含み、前記動的パスワードは前記動的時間因子に従って生成され、前記デバイスアカウント情報は前記ユーザの前記アカウント情報と、前記端末の前記デバイス情報とに従って生成される、処理部と；を備える、
端末。
［第１６の局面］
前記受信部は、前記グラフィカル識別子を表示させるための表示命令を受信するように更に構成され、
前記処理部は、前記受信部が前記表示命令を受信した後に、前記認証因子に従って、オフラインで前記第１のサービスオペレーションを完了するための前記グラフィカル識別子を生成するように構成され、
前記端末は、
前記処理部が生成した前記グラフィカル識別子を表示するように構成された表示部であって、これにより、前記端末が、前記グラフィカル識別子を用いて、オフライン状態にて前記第１のサービスオペレーションを完了する、表示部とを備える、
第１５の局面に記載の端末。
［第１７の局面］
前記表示部によって表示された前記グラフィカル識別子の表示モードは、バーコードとＱＲコード（登録商標）のうち一方又は両方の組み合わせを備え、
前記受信部は、前記グラフィカル識別子の前記表示モードのための切り替え命令を受信するように更に構成され、
前記処理部は、前記受信部が前記切り替え命令を受信した際に前記表示部によって表示される前記グラフィカル識別子の前記表示モードを切り替えるように更に構成された、
第１６の局面に記載の端末。
［第１８の局面］
前記受信部は、前記第１のサーバ端末が発行した前記認証因子を第２の端末を経由して受信するように構成され、前記送信部は、前記バインドされた認証情報を、第２の端末を経由して前記第１のサーバ端末へ返すように構成された、
第１５の局面に記載の端末。
［第１９の局面］
前記送信部は、アカウントＩＤ検証要求を前記第１のサーバ端末へ送信するように更に構成され、
前記受信部は、ＩＤ検証の成功後に、前記第１のサーバ端末から送信された検証結果を受信するように構成され、
前記送信部は、前記オフラインの第１のサービスオペレーションのための認証検証要求を前記第１のサーバ端末へ送信するように構成され、
前記受信部は、認証検証の成功後に、前記第１のサーバ端末が発行した前記認証因子を受信するように構成された、
第１５の局面に記載の端末。
［第２０の局面］
サーバ端末であって：
端末上に表示されたグラフィカル識別子に含まれる第１のサービスオペレーションの認証情報を取得するように構成された取得部であって、前記第１のサービスオペレーションの前記認証情報はユーザの認証キーと、デバイスアカウント情報と、動的パスワードとを含む、取得部と；
前記取得部が取得した前記第１のサービスオペレーションの前記認証情報と、サービスデータとを用いて、第１のサービスオペレーション要求を生成するように構成された処理部と；
前記処理部が生成した前記第１のサービスオペレーション要求を前記第１のサーバ端末へ送信するように構成された送信部であって、これにより、前記第１のサーバ端末が、前記第１のサービスオペレーション要求に含まれている前記第１のサービスオペレーションの前記認証情報に従って認証を実行し、前記認証の成功後に、前記第１のサービスオペレーションを完了する、送信部と；
前記第１のサーバ端末から返された前記第１のサービスオペレーションの結果を受信するように構成された受信部と；を備える、
サーバ端末。
［第２１の局面］
サーバ端末であって、
第２のサーバ端末が送信した第１のサービスオペレーション要求を受信するように構成された受信部であって、前記第１のサービスオペレーション要求は、前記第２のサーバ端末が、端末上に表示されたグラフィカル識別子に含まれている前記第１のサービスオペレーションの認証情報と、サービスデータとを取得して生成した要求であり、前記第１のサービスオペレーション要求は、前記第１のサービスオペレーションの前記認証情報と前記サービスデータとを含み、前記第１のサービスオペレーションの前記認証情報は、ユーザの認証キーと、デバイスアカウント情報と、動的パスワードとを含む、受信部と；
前記受信部が受信した前記第１のサービスオペレーション要求に含まれている前記第１のサービスオペレーションの前記認証情報に従って認証を実行するように構成された処理部であって、前記第１のサーバ端末は、前記認証が成功である場合に、前記第１のサービスオペレーションを完了する、処理部と；を備える、
サーバ端末。
［第２２の局面］
前記処理部は、前記端末上でオンラインアカウントバインドを実行するように更に構成された、
第２１の局面に記載のサーバ端末。
［第２３の局面］
前記サーバ端末は送信部を更に備え、
前記受信部は、前記端末が送信したアカウントＩＤ検証要求を受信するように更に構成され、前記アカウントＩＤ検証要求は前記ユーザのアカウント情報を含み；
前記処理部は、前記アカウントＩＤ検証要求が検証に合格するかどうかを判断し、前記検証が成功の場合には、検証成功結果を前記端末へ送信するように構成され；
前記受信部は、前記第１のサービスオペレーションをオフラインで完了するべく、前記端末から送信された認証検証要求を受信するように構成され；
前記処理部は、前記認証検証要求が成功であるかどうかを判断し、前記検証が成功の場合に、前記ユーザの前記認証キーを生成し、前記サーバ端末の動的時間因子を計算し、前記認証キーと、前記動的時間因子と、前記ユーザの前記アカウント情報とを用いて、認証因子を生成するように構成され、；
前記送信部は、前記処理部が生成した前記認証因子を前記端末に発行するように構成され；
前記受信部は、前記端末が提出した、バインドされた認証情報を受信するように構成され、前記バインドされた認証情報は、前記認証因子と前記デバイスアカウント情報をバインドすることによって生成され；
前記処理部は、前記バインドされた認証情報に認証検証を実行し、認証成功後に前記認証検証を完了するように構成された；
第２２の局面に記載のサーバ端末。
［第２４の局面］
前記サーバ端末は送信部を更に備え、
前記受信部は、前記第２の端末が送信したアカウントＩＤ検証要求を受信するように構成され、前記アカウントＩＤ検証要求は前記ユーザのアカウント情報を含み；
前記処理部は、前記アカウントＩＤ検証要求が検証に合格するかどうかを判断し、前記検証が成功であれば、前記送信部を用いて、検証成功結果を前記第２の端末へ送信するように構成され；
前記受信部は、前記第１のサービスオペレーションをオフラインで完了するべく、前記第２の端末が送信した認証検証要求を受信するように構成され；
前記処理部は、前記認証検証要求の検証が成功であるかどうかを判断し、前記検証が成功であれば、前記ユーザの前記認証キーを生成し、前記サーバ端末の動的時間因子を計算し、前記認証キーと、前記動的時間因子と、前記ユーザのアカウント情報とを用いて認証因子を生成するように構成され；
前記送信部は、前記第２の端末へ前記認証因子を発行するように構成され、これにより、前記第２の端末が前記認証因子を前記端末へ送信し；
前記受信部は、前記端末から返され、前記第２の端末が提出した、バインドされた認証情報を受信するように構成され、前記バインドされた認証情報は、前記端末によって、前記認証因子と前記端末の前記デバイスアカウント情報とのバインドにより生成され；
前記処理部は、前記バインドされた認証情報に認証検証を実行し、認証成功後に前記認証検証を完了するように構成された；
第２２の局面に記載のサーバ端末。
［第２５の局面］
前記ユーザの前記認証キーの生成後に、前記処理部が、前記ユーザの前記認証キーと前記アカウント情報との圧縮ストリングを生成するように更に構成され、前記圧縮ストリングは、前記ユーザの前記認証キーと前記アカウント情報との間の１対１のマッピング関係を有し；
前記処理部は、前記認証キーと、前記動的時間因子と、前記ユーザのアカウント情報とを用いて、前記認証因子を生成するように構成され、具体的には、前記認証キーと、前記圧縮ストリングと、前記動的時間因子とを含む；
第２３の局面又は第２４の局面のいずれかに記載のサーバ端末。
［第２６の局面］
前記処理部は、具体的に、前記第１のサービスオペレーションの前記認証情報に含まれている前記デバイスアカウント情報と前記認証キーとの間のバインド関係が正確であるかどうかをチェックし、又、前記認証因子内の前記動的時間因子に従って、前記動的パスワードが有効であるかどうかをチェックするように構成され、チェックが肯定である場合は前記認証は成功である、
第２１の局面に記載のサーバ端末。
［第２７の局面］
電子デバイスであって：
表示部と；
プロセッサと；
第１のサーバ端末が発行した認証因子と、第１のサービスオペレーションを前記認証因子に従ってオフラインで完了するためのグラフィカル識別子を生成するプログラムとを記憶するように構成されたメモリであって、前記プログラムが前記プロセッサによって実行されると、前記第１のサービスオペレーションをオフラインで完了するための前記グラフィカル識別子が、前記表示部の表示エリア内に表示され、前記グラフィカル識別子は、前記第１のサービスオペレーションの認証情報を含み、前記第１のサービスオペレーションの前記認証情報は、ユーザの認証キーと、デバイスアカウント情報と、動的パスワードとを含み、前記動的パスワードは動的時間因子に従って生成され、前記デバイスアカウント情報は、前記ユーザのアカウント情報と前記端末のデバイス情報とに従って生成される、メモリと；を備える、
電子デバイス。
［第２８の局面］
前記動的パスワードは同一の時間枠内では不変であり、次の時間枠内で、前記動的パスワードが前記動的時間因子に従って再生成され、動的に変化する、
第２７の局面に記載の電子デバイス。
［第２９の局面］
前記動的パスワードは、具体的に、前記ユーザの前記認証キーと、前記動的時間因子と、前記デバイスアカウント情報と、ワンタイムパスワード計算方法によって得た事前設定されたパスワード長とを用いた計算によって得られる、
第２７の局面に記載の電子デバイス。
［第３０の局面］
前記第１のサーバ端末が発行し、第２の電子デバイスが送信した前記認証因子を受信するように構成された、前記第２の電子デバイスと通信している通信モジュールを更に備え、認証のバインド中に、バインドされた認証情報を前記第２の電子デバイスへ送信することで、前記バインドされた認証情報が前記第１のサーバ端末に転送されるようにする、
第２７の局面に記載の電子デバイス。
［第３１の局面］
前記通信モジュールはＢｌｕｅｔｏｏｔｈ（登録商標）モジュール又はＷｉＦｉモジュールである、
第３０の局面に記載の電子デバイス。
［第３２の局面］
情報インタラクションのシステムであって、端末と、第１のサーバ端末と、第２のサーバ端末とを備え：
前記端末は、第１のサービスオペレーションを完了するためのグラフィカル識別子をオフライン状態にて表示し、前記グラフィカル識別子は、前記第１のサービスオペレーションの認証情報を含み、前記第１のサービスオペレーションの前記認証情報は、ユーザの認証キーと、デバイスアカウント情報と、動的パスワードとを含み；
前記第２のサーバ端末は、前記グラフィカル識別子に含まれている前記第１のサービスオペレーションの前記認証情報を取得し；
前記第２のサーバ端末は、前記第１のサービスオペレーションの前記認証情報とサービスデータとを用いて、第１のサービスオペレーション要求を生成し、前記第１のサービスオペレーション要求を前記第１のサーバ端末へ送信し；
前記第１のサーバ端末は、前記第１のサービスオペレーション要求に含まれている前記第１のサービスオペレーションの前記認証情報に従って認証を実行し、前記第１のサーバ端末は、前記認証が成功である場合に、前記第１のサービスオペレーションを完了する；
情報インタラクションのシステム。